(57)【要約】      （修正有）【課題】不織布からなる基布を備えたカーペットを折り畳むことができるようにするためのカーペット用基布を提供すること。【解決手段】本発明のカーペット用基布Ｃは、不職布からなるカーペット用基布Ｃにおいて、前記基布Ｃを構成する不織布の繊維の交絡度合いを部分的に高めることによって形成された直線状の折溝１を備えてなることを特徴とする。この場合において、折溝１は、複数並列して形成され、また、前記折溝１は、ニードルパンチ加工によって形成されてなる。【選択図】図２
2019098056.tif 000002
【特許請求の範囲】
【請求項１】
不織布からなるカーペット用基布において、前記基布を構成する不織布の繊維の交絡度合いを部分的に高めることによって形成された直線状の折溝を備えてなることを特徴とするカーペット用基布。
【請求項２】
前記折溝が、複数並列して形成されてなることを特徴とする請求項１に記載のカーペット用基布。
【請求項３】
前記折溝が、ニードルパンチ加工によって形成されてなることを特徴とする請求項１又は２に記載のカーペット用基布。
【発明の詳細な説明】
【技術分野】
【０００１】
本発明は、カーペット用基布に関し、特に、カーペットを折り畳むことができるようにするためのカーペット用基布に関するものである。
【背景技術】
【０００２】
従来、タフテッドカーペット等のカーペットの基層には、軟質樹脂からなる基層や不織布からなる基布が用いられている。
【０００３】
このうち、軟質樹脂からなる基層を備えたカーペットにおいては、特に基層の厚みが大きくなると、折り畳んだり、ロール状に巻いて、搬送したり、収納することが困難になる。
この問題に対処するため、成形時に基層の裏面に折溝を形成することによって、カーペットを折り畳むことができるようにすることが提案されている（例えば、特許文献１参照。）。
【先行技術文献】
【特許文献】
【０００４】
【特許文献１】特開２０００−３０８３９号公報
【発明の概要】
【発明が解決しようとする課題】
【０００５】
一方、不織布からなる基布を備えたカーペット、例えば、タフテッドカーペットは、図１に示すように、表面パイル層（パイル繊維Ｐと、このパイル繊維Ｐを植設した基布Ｃ１）のバックステッチ側にプレコートと称して目止め用接着樹脂（ラテックス）を塗布することで接着樹脂層Ｒを設け、パイル繊維Ｐと基布Ｃ１を予め固定してから裏貼層（第２の基布Ｃ２）を張り合わせることによって製造されるが、防音性やクッション性を高めるために基層を構成する裏貼層（第２の基布Ｃ２）の厚みを大きくしても、ロール状に巻いて、搬送したり、収納することが可能なため、折り畳むことができるようにするための工夫はされてこなかった。
【０００６】
しかしながら、近年、宅配便等における商品の流通形態上の理由から、カーペットを折り畳んでダンボール箱に収容できるようにすることの要請が高まっている。
【０００７】
本発明は、上記要請に鑑み、不織布からなる基布を備えたカーペットを折り畳むことができるようにするためのカーペット用基布を提供することを目的とする。
【課題を解決するための手段】
【０００８】
上記目的を達成するため、本発明のカーペット用基布は、不織布からなるカーペット用基布において、前記基布を構成する不織布の繊維の交絡度合いを部分的に高めることによって形成された直線状の折溝を備えてなることを特徴とする。
【０００９】
この場合において、前記折溝が、複数並列して形成されてなるようにすることができる。
【００１０】
また、前記折溝が、ニードルパンチ加工によって形成されてなるようにすることができる。
【発明の効果】
【００１１】
本発明のカーペット用基布によれば、不織布からなるカーペット用基布において、前記基布を構成する不織布の繊維の交絡度合いを部分的に高めることによって形成された直線状の折溝を備えてなることから、防音性やクッション性を高めるためにカーペットの基層を基布の厚みを大きくしても、折溝に沿って不織布からなる基布を備えたカーペットを折り畳んで、ダンボール箱に収容する宅配便等による流通に適した形態にすることができる。
【００１２】
また、前記折溝が、複数並列して形成されてなるようにすることにより、折溝に沿って不織布からなる基布を備えたカーペットをより折り曲げやすくして、縦方向及び横方向に折り畳むようにすることができる。
【００１３】
また、前記折溝が、ニードルパンチ加工によって形成されてなるようにすることにより、折溝の両側に膨出部を形成し、この膨出部による緩衝作用によって、折溝を形成したことによるクッション性の低下を軽減することができる。
【図面の簡単な説明】
【００１４】
【図１】タフテッドカーペットを示す説明図である。
【図２】本発明のカーペット用基布の一実施例を示し、（ａ）は無負荷の状態、（ｂ）は負荷（圧縮力）をかけた状態を示す説明図である。
【図３】ニードルパンチ加工に用いるニードルを示し、（ａ）は本発明のカーペット用基布に折溝を形成するために用いられるニードルの一例を示す説明図、（ｂ）は一般的な不織布を製造するために用いられるニードルの一例を示す説明図である。
【発明を実施するための形態】
【００１５】
以下、本発明のカーペット用基布の実施の形態を、図面に基づいて説明する。
【００１６】
図２に、本発明のカーペット用基布の一実施例を示す。
このカーペット用基布Ｃは、例えば、図１に示すタフテッドカーペットＣａにおいて、基層、具体的には、裏貼層（第２の基布Ｃ２）に用いられるもので、防音性やクッション性を高めるために、この基層を構成する裏貼層（第２の基布Ｃ２）の厚みを大きく（例えば、目付２５０〜４５０ｇ／ｍ２）しても、このカーペット用基布Ｃを備えたカーペットを折り畳むことができるようにしたものである。
【００１７】
そして、このカーペット用基布Ｃは、基布Ｃを構成する不織布の繊維の交絡度合いを部分的に高めることによって形成された直線状の折溝１を備えるようにしている。
これにより、防音性やクッション性を高めるためにカーペットの基層を基布の厚みを大きくしても、折溝１に沿って不織布からなる基布Ｃを備えたカーペットを折り畳んで、ダンボール箱に収容する宅配便等による流通に適した形態にすることができる。
【００１８】
また、折溝１は、１本でもよいが、複数（特に限定されるものではないが、好ましくは、２〜１０本程度、より好ましくは、３〜８本程度。本実施例においては、４本。）並列して形成されてなるようにする（例えば、折溝１を形成した部分の幅寸法が、２〜１０ｃｍ程度になるようにする。）ことができる。
これにより、折溝に沿って不織布からなる基布を備えたカーペットをより折り曲げやすくして、カーペットの大きさに応じて、縦方向及び横方向に、必要に応じて複数回、折り畳むようにする（この場合、例えば、折溝１を、縦方向及び横方向に、折り畳んだときの最長寸法が、５０〜８０ｃｍ程度になるように形成する。）ことができる。
【００１９】
また、カーペット用基布Ｃに用いる不織布は、合成繊維、天然繊維、無機繊維、再生繊維等の繊維を、各種製法で交絡させたものを使用することができる。
【００２０】
そして、折溝１は、カーペット用基布Ｃに用いる不織布に対して、ニードルパンチ加工によって形成されてなるようにすることが好ましい。
ここで、ニードルパンチ加工に用いるニードルは、基布Ｃを構成する不織布の繊維の交絡度合いを部分的に高めるために、図３（ａ）に示すように、先端部を先割れ形状にしたニードルＮａを好適に用いることができる。なお、図３（ｂ）は一般的な不織布を製造するために用いられるニードルＮｂの一例を示す。
これにより、折溝１の両側に膨出部２を形成し、この膨出部２による緩衝作用（図２（ｂ）に示す負荷（圧縮力）をかけた状態の説明図参照。）によって、折溝１を形成したことによる基布Ｃのクッション性の低下を軽減することができる。
【実施例】
【００２１】
以下、このカーペット用基布Ｃの諸元値について、具体的な例（代表例）を示す。
基布Ｃの厚みＴ０：１．３〜７ｍｍ（５ｍｍ）
折溝１を形成した箇所の基布Ｃの厚みＴ１：０．３〜３ｍｍ（２ｍｍ）
折溝１の深さＤ：１〜４ｍｍ（３ｍｍ）
膨出部２の高さＨ：１〜３ｍｍ（２ｍｍ）
折溝１の幅Ｗ：１〜３ｍｍ（１．７５ｍｍ）
折溝１のピッチＰ：２〜６ｍｍ（３．５ｍｍ）
【００２２】
以上、本発明のカーペット用基布について、その実施例に基づいて説明したが、本発明は上記実施例に記載した構成に限定されるものではなく、その趣旨を逸脱しない範囲において適宜その構成を変更することができるものである。
【産業上の利用可能性】
【００２３】
本発明のカーペット用基布は、不織布からなる基布を備えたカーペットを折り畳むことができるようにするためのカーペット用基布を提供することができることから、タフテッドカーペット用基布の用途を始めとして、カーペット用基布の用途に好適に用いることができる。
【符号の説明】
【００２４】
Ｃ  基布（カーペット用基布）
Ｃａ  タフテッドカーペット
Ｃ１  基布
Ｃ２  第２の基布
Ｎａ  ニードル
Ｎｂ  ニードル
Ｐ  パイル繊維
Ｒ  接着樹脂層
１  折溝
２  膨出部
【図１】
2019098056.tif 000003
【図２】
2019098056.tif 000004
【図３】
2019098056.tif 000005